【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
セパレータ層；該セパレータ層の上に堆積されて存在する１以上の保護層；および該１以上の保護層の上に堆積されて存在する電極活物質を含む組込電極／セパレータ構造層であり、該セパレータ層、１以上の保護層および電極活物質が組込構造を形成する、前記組込電極／セパレータ構造層。
【請求項２】
前記１以上の保護層およびセパレータ層の間に介在するゲル層をさらに含む、請求項１に記載の組込電極／セパレータ構造層。
【請求項３】
前記組込電極／セパレータ構造層を折り曲げて、電気化学電池の多数組込電極／セパレータ構造セクションを形成する、請求項１に記載の組込電極／セパレータ構造層。
【請求項４】
組込電極／セパレータ構造層の形成方法であって、当該方法は：
セパレータ層を与えること；
場合により、セパレータ層上にゲル層を形成すること；
セパレータ層の上に存在する１以上の保護層を形成すること；および
１以上の保護層上に電極活物質を堆積させること
の各工程を含む前記方法。
【請求項５】
前記電極活物質上に集電体物質を堆積させる工程をさらに含む、請求項４に記載の組込電極／セパレータ構造層の形成方法。
【請求項６】
前記集電体物質をパターン化する工程をさらに含む、請求項５に記載の組込電極／セパレータ構造層の形成方法。
【請求項７】
前記１以上の保護層を形成する工程が、１以上の単一イオン伝導性層を形成すること；および１以上のポリマー層を形成することを含む、請求項４に記載の組込電極／セパレータ構造層の形成方法。
【請求項８】
電極活物質を堆積させる工程が、湿式コーティングおよび真空蒸着から選択される技術を含む、請求項４に記載の組込電極／セパレータ構造層の形成方法。
【請求項９】
請求項１に記載の組込電極／セパレータ構造層；および第２電極層を含む電気化学電池。
【請求項１０】
前記組込電極／セパレータ層が第一方向にそれ自身上で折り返され、第２電極層が第二方向に組込電極／セパレータ層のセクション上で折り曲げられている、請求項９に記載の電気化学電池。
【請求項１１】
前記第２電極層がプレートを含む、請求項９に記載の電気化学電池。
【請求項１２】
電気化学電池の形成方法であって、該方法が下記の工程：
セパレータ層を与えること、場合により、該セパレータ層上にゲル層を形成すること、該セパレータ層の上に存在する１以上の保護層を形成すること、および該１以上の保護層上に電極活物質を堆積させることを含む工程を含む組込電極／セパレータ構造層を形成すること；
前記組込電極／セパレータ層をそれ自身上で折り返して、第１組込電極／セパレータ層セクション、第２組込電極／セパレータ層セクション、およびそれらの間の第１開口を形成すること；および
前記開口内に第２電極物質を含む第１プレートを配置すること
の各工程を含む、前記方法。
【請求項１３】
前記組込電極／セパレータ構造層の折り曲げセクションにおいて第１電極層に対する接点を形成する工程をさらに含む、請求項１２に記載の方法。
【請求項１４】
プレート上の接点領域上に第２電極層に対する接点を形成する工程をさらに含む、請求項１２に記載の方法。
【請求項１５】
電気化学電池を形成する方法であって、該方法が下記の工程：
セパレータ層を与えること、場合により、該セパレータ層上にゲル層を形成すること、該セパレータ層の上に存在する１以上の保護層を形成すること、および該１以上の保護層上に電極活物質を堆積させることを含む工程含む組込電極／セパレータ層を形成すること；
前記組込電極／セパレータ層の上に存在する第２電極層の第１セクションを配置すること；
前記第２電極層の第１セクション上の組込電極／セパレータ層を折り曲げ、それ自身上で折り返して、第１電極／セパレータ層セクションおよび第２の第１電極／セパレータ層セクションを形成すること、および
前記第２電極／セパレータ層セクション上で第２電極層を折り曲げて前記第２組込電極／セパレータ層セクションの上に存在する第２の第２電極セクションを形成すること
の各工程を含む、前記方法。
【請求項１６】
前記配置する工程が、基体および該基体の上に存在する電極活物質の間欠的セクションを含む第２電極を与えることを含む、請求項１５に記載の方法。
【請求項１７】
前記配置する工程が、１以上の接点領域を含む基体を含む第２電極層を与えることを含む、請求項１５に記載の方法。
【請求項１８】
前記組込電極／セパレータ構造層の折り曲げセクションにおいて第１電極層に対する接点を形成する工程をさらに含む、請求項１５に記載の方法。
【請求項１９】
第１電極／セパレータ／第２電極構造層であって、
セパレータ層；
前記セパレータ層の表面の第１部分上に堆積された１以上の保護層；
前記１以上の保護層の上に堆積されて存在する第１電極活物質；および
前記セパレータ層の表面の第２部分上に堆積された第２電極活物質
を含んでなる、前記第１電極／セパレータ／第２電極構造層。
【請求項２０】
前記第１電極活物質の少なくとも一部上に形成された集電体をさらに含む、請求項１９に記載の第１電極／セパレータ／第２電極構造層。
【請求項２１】
前記第２電極活物質の少なくとも一部および前記表面の一部上に形成された集電体をさらに含む、請求項１９に記載の第１電極／セパレータ／第２電極構造層。
【請求項２２】
請求項１９に記載の第１電極／セパレータ／第２電極構造層を含む電気化学電池。
【請求項２３】
組込第１電極／セパレータ／第２電極構造層の形成方法であって、該形成方法は、
セパレータ層を与えること；
場合により、前記セパレータ層の表面の第１部分上にゲル層を形成すること；
前記第１部分上に１以上の保護層を形成すること；
前記１以上の保護層上に第１電極活物質を堆積すること；および
前記セパレータ層の第２部分上に第２電極活物質を堆積すること
の各工程を含む、前記組込第１電極／セパレータ／第２電極構造層の形成方法。
【請求項２４】
請求項２３に記載の方法にしたがって形成された組込第１電極／セパレータ／第２電極構造層を折り曲げる工程を含む電気化学電池の形成方法。
【請求項２５】
請求項９に記載の電気化学電池を含むバッテリー。
【請求項２６】
請求項２２に記載の電気化学電池を含むバッテリー。
【請求項２７】
請求項１２に記載の方法を含むバッテリーの形成方法。
【請求項２８】
請求項２４に記載の方法を含むバッテリーの形成方法。
【手続補正２】
【補正対象書類名】明細書
【補正対象項目名】００７１
【補正方法】変更
【補正の内容】
【００７１】
１０２  セパレータ層；  １０４  保護層；  １０６  電極活物質；  １０８  ゲル層；  １１０  集電体層；  ３００  電気化学電池；  ３０２  組込電極／セパレータ構造；  ３０４  第２電極層；  ３０６  基体；  ３０８  活物質；  ３１０、３２０  接点領域；  ３１２  セパレータ層；  ３１４  電極活物質；  ３１６  第１組込電極／セパレータ構造層セクション；  ３１８  第２組込電極／セパレータ構造層セクション；  ６００  折り曲げた第１組込電極／セパレータ／第２電極構造層；  ６０２  セパレータ層；  ６０４  保護層；  ６０６  電極活物質；  ６０８  ゲル層；  ６１０  第１電極集電体；  ６１２、６１８  接点領域；  ６１４  第２電極活物質；  ６１６  集電体；  ６２０  第１電極構造；  ６２２  第２電極構造
以下に、出願時の特許請求の範囲の内容を記載する。
［請求項１］
セパレータ層；該セパレータ層の上に存在する１以上の保護層；および該１以上の保護層の上に存在する電極活物質を含む組込電極／セパレータ構造層であり、該セパレータ層、１以上の保護層および電極活物質が組込構造を形成する、前記組込電極／セパレータ構造層。
［請求項２］
前記１以上の保護層およびセパレータ層の間に介在するゲル層をさらに含む、請求項１に記載の組込電極／セパレータ構造層。
［請求項３］
前記電極活物質の上に存在する集電体層をさらに含む、請求項１に記載の組込電極／セパレータ構造層。
［請求項４］
前記組込電極／セパレータ構造層を折り曲げて、電気化学電池の多数組込電極／セパレータ構造セクションを形成する、請求項１に記載の組込電極／セパレータ構造層。
［請求項５］
組込電極／セパレータ構造層の形成方法であって、当該方法は：
セパレータ層を与えること；
場合により、セパレータ層上にゲル層を形成すること；
セパレータ層の上に存在する１以上の保護層を形成すること；および
１以上の保護層上に電極活物質を堆積させること
の各工程を含む前記方法。
［請求項６］
前記電極活物質上に集電体物質を堆積させる工程をさらに含む、請求項５に記載の組込電極／セパレータ構造層の形成方法。
［請求項７］
前記集電体物質パターン化する工程をさらに含む、請求項６に記載の組込電極／セパレータ構造層の形成方法。
［請求項８］
前記ゲル層を形成する工程がロールｔｏロールコーティング、スロット＆ナイフコーティング、または乾燥層を施用し、電解質で該乾燥層を膨潤させることを含む、請求項５に記載の組込電極／セパレータ構造層の形成方法。
［請求項９］
前記１以上の保護層を形成する工程が、１以上の単一イオン伝導性層を形成すること；および１以上のポリマー層を形成することを含む、請求項５に記載の組込電極／セパレータ構造層の形成方法。
［請求項１０］
電極活物質を堆積させる工程が、湿式コーティングおよび真空蒸着から選択される技術を含む、請求項５に記載の組込電極／セパレータ構造層の形成方法。
［請求項１１］
請求項１に記載の組込電極／セパレータ構造層；および第２電極層を含む電気化学電池。
［請求項１２］
前記組込電極／セパレータ構造層および第２電極層が、互いに対して直交して折り曲げられている、請求項１１に記載の電気化学電池。
［請求項１３］
前記組込電極／セパレータ層が第一方向にそれ自身上で折り返され、第２電極層が第二方向に組込電極／セパレータ層のセクション上で折り曲げられている、請求項１１に記載の電気化学電池。
［請求項１４］
前記第２電極層がプレートを含む、請求項１１に記載の電気化学電池。
［請求項１５］
電気化学電池の形成方法であって、該方法が下記の工程：
セパレータ層を与えること、場合により、該セパレータ層上にゲル層を形成すること、該セパレータ層の上に存在する１以上の保護層を形成すること、および該１以上の保護層上に電極活物質を堆積させることを含む工程を含む組込電極／セパレータ構造層を形成すること；
前記組込電極／セパレータ層をそれ自身上で折り返して、第１組込電極／セパレータ層セクション、第２組込電極／セパレータ層セクション、およびそれらの間の第１開口を形成すること；および
前記開口内に第２電極物質を含む第１プレートを配置すること
の各工程を含む、前記方法。
［請求項１６］
前記組込電極／セパレータ構造層セクション双方およびプレートのそれぞれを二よりも多く含んでなる電気化学電池を形成することをさらに含む、請求項１５に記載の方法。
［請求項１７］
前記電気化学電池の底部にセパレータセクションを与える工程をさらに含む、請求項１５に記載の方法。
［請求項１８］
前記電気化学電池の頂部にセパレータセクションを与える工程をさらに含む、請求項１５に記載の方法。
［請求項１９］
前記組込電極／セパレータ構造層の折り曲げセクションにおいて第１電極層に対する接点を形成する工程をさらに含む、請求項１５に記載の方法。
［請求項２０］
プレート上の接点領域上に第２電極層に対する接点を形成する工程をさらに含む、請求項１５に記載の方法。
［請求項２１］
電気化学電池を形成する方法であって、該方法が下記の工程：
セパレータ層を与えること、場合により、該セパレータ層上にゲル層を形成すること、該セパレータ層の上に存在する１以上の保護層を形成すること、および該１以上の保護層上に電極活物質を堆積させることを含む工程含む組込電極／セパレータ層を形成すること；
前記組込電極／セパレータ層の上に存在する第２電極層の第１セクションを配置すること；
前記第２電極層の第１セクション上の組込電極／セパレータ層を折り曲げ、それ自身上で折り返して、第１組込電極／セパレータ層セクションおよび第２第１組込電極／セパレータ層セクションを形成すること、および
前記第２組込電極／セパレータ層セクション上で第２電極層を折り曲げて前記第２組込電極／セパレータ層セクションの上に存在する第２の第２電極セクションを形成すること
の各工程を含む、前記方法。
［請求項２２］
前記電極／セパレータ層セクション双方および第２電極セクションのそれぞれを二よりも多く含んでなる電気化学電池を形成することをさらに含む、請求項２１に記載の方法。
［請求項２３］
前記電気化学電池の底部にセパレータ物質を与える工程をさらに含む、請求項２１に記載の方法。
［請求項２４］
前記電気化学電池の頂部にセパレータ物質を与える工程をさらに含む、請求項２１に記載の方法。
［請求項２５］
前記配置する工程が、基体および該基体の上に存在する電極活物質の間欠的セクションを含む第２電極を与えることを含む、請求項２１に記載の方法。
［請求項２６］
前記配置する工程が、１以上の接点領域を含む基体を含む第２電極層を与えることを含む、請求項２１に記載の方法。
［請求項２７］
第２電極層に対する接点を形成する工程をさらに含む、請求項２１に記載の方法。
［請求項２８］
第１電極層に対する接点を形成する工程をさらに含む、請求項２１に記載の方法。
［請求項２９］
前記組込電極／セパレータ構造層の折り曲げセクションにおいて第１電極層に対する接点を形成する工程をさらに含む、請求項２１に記載の方法。
［請求項３０］
第１電極／セパレータ／第２電極構造層であって、
セパレータ層；
前記セパレータ層の表面の第１部分上に形成された１以上の保護層；
前記１以上の保護層の上に存在する第１電極活物質；および
前記セパレータ層の表面の第２部分上に形成された第２電極活物質
を含んでなる、前記第１電極／セパレータ／第２電極構造層。
［請求項３１］
前記第１電極活物質の少なくとも一部上に形成された集電体をさらに含む、請求項３０に記載の第１電極／セパレータ／第２電極構造層。
［請求項３２］
前記第２電極活物質および第二表面の少なくとも一部上に形成された集電体をさらに含む、請求項３０に記載の第１電極／セパレータ／第２電極構造層。
［請求項３３］
前記１以上の保護層およびセパレータ層の間に介在されたゲル層をさらに含む、請求項３０に記載の第１電極／セパレータ／第２電極構造層。
［請求項３４］
前記第１電極活物質がアノード活物質を含み、第２電極活物質がカソード活物質を含む、請求項３０に記載の第１電極／セパレータ／第２電極構造層。
［請求項３５］
請求項３０に記載の第１電極／セパレータ／第２電極構造層を含む電気化学電池。
［請求項３６］
組込第１電極／セパレータ／第２電極構造層の形成方法であって、該形成方法は、
セパレータ層を与えること；
場合により、前記セパレータ層の表面の第１部分上にゲル層を形成すること；
前記第１部分上に１以上の保護層を形成すること；
前記１以上の保護層上に第１電極活物質を堆積すること；および
前記セパレータ層の第２部分上に第２電極活物質を堆積すること
の各工程を含む、前記組込第１電極／セパレータ／第２電極構造層の形成方法。
［請求項３７］
前記第１部分上に第１電極構造を形成する工程をさらに含む、請求項３６に記載の方法。
［請求項３８］
前記第２部分上に第２電極構造を形成する工程をさらに含む、請求項３６に記載の方法。
［請求項３９］
請求項３６に記載の方法にしたがって形成された組込第１電極／セパレータ／第２電極構造層を折り曲げる工程を含む電気化学電池の形成方法。
［請求項４０］
電気化学電池の頂部にセパレータ物質を与える工程をさらに含む、請求項３９に記載の方法。
［請求項４１］
第２電極層に対する接点を形成する工程をさらに含む、請求項３９に記載の方法。
［請求項４２］
第１電極層に対する接点を形成する工程をさらに含む、請求項３９に記載の方法。
［請求項４３］
請求項１１に記載の電気化学電池を含むバッテリー。
［請求項４４］
請求項３５に記載の電気化学電池を含むバッテリー。
［請求項４５］
請求項１５に記載の方法を含むバッテリーの形成方法。
［請求項４６］
請求項３９に記載の方法を含むバッテリーの形成方法。